(57)【特許請求の範囲】
【請求項１】
被加熱物を載置するトッププレートと、前記トッププレート下方に設けられ、前記被加熱物に高周波電流を供給する加熱コイルと、前記加熱コイルの周囲に配置され前記トッププレートに向け光を発する第１の発光部と、前記加熱コイルの外周より内側に配置され、被
加熱物の温度を測定する赤外線センサと、前記赤外線センサの近傍に配置され、前記トッププレートに向け光を発する第２の発光部と、機器の電源を入切する電源スイッチと、被加熱物検知手段と、を備え、前記被加熱物検知手段は前記赤外線センサの受光量に応じて前記トッププレート上の前記被加熱物の有無を判断し、前記被加熱物検知手段により前記被加熱物が載置されていると判断し、かつ、電源スイッチがオン状態である場合は前記第１の発光部を点灯させ、前記電源スイッチがオフ状態である場合は前記第１の発光部を点滅させる誘導加熱調理器。
【請求項２】
前記被加熱物検知手段により前記被加熱物が載置されていると判断し、かつ、前記加熱コイルによって加熱が開始されると前記第２の発光部を消灯させる請求項１に記載の誘導加熱調理器。
【請求項３】
前記第１の発光部は複数の異なる発光素子を有し、前記被加熱物検知手段により前記被加熱物が載置されていると判断した場合、前記電源スイッチの状態に応じて発光させる発光素子を切り替える請求項１または２に記載の誘導加熱調理器。
【請求項４】
前記被加熱物検知手段により前記被加熱物が載置されていると判断した場合、前記電源スイッチの状態に応じて発光させる前記発光素子を切り替え、かつ、加熱開始手段によって加熱が開始された場合にはさらに別の前記発光素子を発光させる請求項３に記載の誘導加熱調理器。
【発明の詳細な説明】
【技術分野】
【０００１】
本発明は、誘導加熱調理器に関するものである。
【背景技術】
【０００２】
従来、この種の誘導加熱調理器は、載置された被加熱物の温度が高温である場合に発光部を発光させるものがある（例えば、特許文献１参照）。
【０００３】
図５は、特許文献１に記載された誘導加熱調理器の断面概略図を示すものである。図５に示すように、トッププレート１０２の下面に、加熱コイル１０１、サーミスタ１０４、電球１０３、反射鏡１０５が構成され、被加熱物Ｐが加熱状態でなくても、被加熱物Ｐが高温である場合には、トッププレート１０２の下面に設けられたサーミスタ１０４が検知温度を制御部１０６に送信し、制御部１０６はトッププレート１０２が高温である状態を検知し、電球１０３を発光させている。
【０００４】
また、図６は他の従来の誘導加熱調理器のトッププレートの斜視図であり、図６に示すように、従来はトッププレートに円形の載置目印１０７を印刷し、使用者が被加熱物Ｐの置き位置を認識できるようになっていたが、近年ではサークルレスデザインという、トッププレートに載置目印１０７を敢えて印刷せず、意匠面で差別化を図るものもある。
【先行技術文献】
【特許文献】
【０００５】
【特許文献１】特開平３−２８９０８６号公報
【発明の概要】
【発明が解決しようとする課題】
【０００６】
しかしながら、前記従来の構成では、サークルレスデザインは意匠面では優れたものとなり、従来品との差別化を図ることができるが、従来存在した被加熱物である鍋の置き位置を使用者に表示させる円が無いため、使用者は鍋の置き位置が分かりにくく、使い勝手の悪いものとなってしまう。
【０００７】
また、従来技術ではある程度温度が上がった鍋は認識することができ、電球を発光して鍋の置き位置を確認することができるが、加熱前の鍋においては温度が低く、認識することが不可能であり、鍋が置かれたことを検出して鍋の置き位置を表示する用途には不十分な性能のものとなり、使用者は鍋の置き位置が分かりにくく、使い勝手が悪いという課題を有していた。
【課題を解決するための手段】
【０００８】
この課題を解決するために、被加熱物を載置するトッププレートと、前記トッププレート下方に設けられ、前記被加熱物に高周波電流を供給する加熱コイルと、前記加熱コイルの周囲に配置され前記トッププレートに向け光を発する第１の発光部と、前記加熱コイルの外周より内側に配置され、被加熱物の温度を測定する赤外線センサと、前記赤外線センサの近傍に配置され、前記トッププレートに向け光を発する第２の発光部と、機器の電源を入切する電源スイッチと、被加熱物検知手段と、を備え、前記被加熱物検知手段は前記赤外線センサの受光量に応じて前記トッププレート上の前記被加熱物の有無を判断し、前記被加熱物検知手段により前記被加熱物が載置されていると判断し、かつ、前記電源スイッチがオン状態である場合は前記第１の発光部を点灯させ、前記電源スイッチがオフ状態である場合は前記第１の発光部を点滅させるものである。
【０００９】
これによって、被加熱物が赤外線センサ上に載置された場合に、第２の発光部から発せられた光が反射し、赤外線センサに入射することにより、赤外線センサの受光量が増加する。被加熱物検知手段は、受光量の増加を鍋が載置されたと判断し、電源スイッチの状態によって、第１の発光部の発光状態を変化させることができ、これによって、使用者は鍋の載置状態を視認することができかつ、電源スイッチの入り切りの状態を、電源スイッチを確認することなく判別することが可能となる。また、サークルレスデザインにおいても鍋の載置場所と電源スイッチの入切が簡単に把握でき、意匠性に優れているサークルレスデザインにおいても、使い勝手の良い誘導加熱調理器を提供することができる。
【発明の効果】
【００１０】
本発明の誘導加熱調理器はサークルレスデザインのトッププレートにおいても、鍋の載置場所と電源スイッチの入切が簡単に把握でき、使い勝手を向上させることができる。
【図面の簡単な説明】
【００１１】
【図１】本発明の実施の形態１における誘導加熱調理器の断面図
【図２】本発明の実施の形態１における誘導加熱調理器のサークルレスデザインのトッププレートの斜視概略図
【図３】本発明の実施の形態１における誘導加熱調理器のブロック図
【図４】本発明の実施の形態１における誘導加熱調理器のブロック図
【図５】従来の誘導加熱調理器の断面概略図
【図６】従来の誘導加熱調理器のトッププレートの斜視図
【発明を実施するための形態】
【００１２】
第１の発明は、被加熱物を載置するトッププレートと、前記トッププレート下方に設けられ、前記被加熱物に高周波電流を供給する加熱コイルと、前記加熱コイルの周囲に配置され前記トッププレートに向け光を発する第１の発光部と、前記加熱コイルの外周より内側に配置され、被加熱物の温度を測定する赤外線センサと、前記赤外線センサの近傍に配置され、前記トッププレートに向け光を発する第２の発光部と、機器の電源を入切する電源スイッチと、被加熱物検知手段と、を備え、前記被加熱物検知手段は前記赤外線センサの受光量に応じて前記トッププレート上の前記被加熱物の有無を判断し、前記被加熱物検知手段により前記被加熱物が載置されていると判断し、かつ、前記電源スイッチがオン状態である場合は前記第１の発光部を点灯させ、前記電源スイッチがオフ状態である場合は前記第１の発光部を点滅させることにより、使用者がトッププレート上の被加熱物を載置した場合には第２の発光部から発せられた光は、トッププレートを透過し、被加熱物で反射され、赤外線センサへ入射される。赤外線センサは受光量が増えたことを検知し、第１の発光部を発光させる。これにより、使用者は被加熱物を載置した際に、第１の発光部によって円が浮かび上がり、電源スイッチの入切の有無によって発行手段が変化するため、被加熱物の載置場所と電源スイッチの入切が簡単に把握でき、意匠性に優れているサークルレスデザインにおいても、使い勝手の良い誘導加熱調理器を提供することができる。
【００１４】
第２の発明は、特に、第１の発明の前記被加熱物検知手段により前記被加熱物が載置されていると判断しかつ、前記加熱コイルによって加熱が開始されると前記第２の発光部を消灯させることにより、調理中、使用者からは見えない第２の発光部を消灯することで、使い勝手を保ちつつ、誘導加熱調理器の消費電力を抑えることができる。
【００１６】
第３の発明は、特に、第１または第２の発明における前記第１の発光部を複数の異なる発光素子を有し、前記被加熱物検知手段により前記被加熱物が載置されていると判断した場合、前記電源スイッチの状態に応じて発光させる前記発光素子を切り替えることにより、サークルレスデザインにおいても鍋の載置場所と電源スイッチの入切が簡単に把握することができる。
【００１７】
第４の発明は、特に、第３の発明の前記被加熱物検知手段により前記被加熱物が載置されていると判断した場合、前記電源スイッチの状態に応じて発光させる前記発光素子を切り替え、かつ、加熱開始手段によって加熱が開始された場合にはさらに別の前記発光素子を発光させることにより、使用者は被加熱物の載置場所を容易に視認することができかつ、被加熱物が加熱状態であるか否かを容易に視認することができ、使い勝手の良い誘導加熱調理器を提供することができる。
【００１８】
以下、本発明の実施の形態について、図面を参照しながら説明する。なお、この実施の形態によって本発明が限定されるものではない。
【００１９】
（実施の形態１）
図１は本発明の第１の実施の形態における誘導加熱調理器の断面図を示すものである。
【００２０】
図１において、トッププレート１の上に被加熱物Ｐが載置され、トッププレート１の下面には被加熱物Ｐに高周波電流を供給する加熱コイル２と、加熱コイル２の周囲に配置されトッププレート１に向け光を発する第１の発光部３が設けられ、加熱コイル２の外周より内側にはトッププレート１に向け常に発する第２の発光部４と、赤外線の量により被加熱物の温度を測定する赤外線センサ５が配置されている。
【００２１】
また、加熱コイル２に高周波電流を供給するための制御部（図示しない）には被加熱物検知手段６が設けられ、被加熱物検知手段６は赤外線センサ５の受光量を入力信号とし、第１の発光部３へ信号を出力する装置である。
【００２２】
図２は本発明の第１の実施の形態における誘導加熱調理器のサークルレスデザインのトッププレートの斜視概略図である。トッププレート１はサークルレスのデザインを特徴としており、従来の誘導加熱調理器に見られるような被加熱物Ｐの載置場所を示す円形の載置目印１０７は有していない。
【００２３】
また、トッププレート１には第１の発光部３から発せられた光をトッププレート１の上方に透過させるための第１の発光領域８と、第２の発光部４から発せられた光を透過するための第２の発光領域９と、第２の発光部４から発せられ、被加熱物Ｐによって反射された光を赤外線センサ５に透過させるための透過領域１０を構成している。
以上のように構成された誘導加熱調理器について、以下、その動作、作用を説明する。
【００２４】
図３は本発明の第１の実施の形態における誘導加熱調理器のブロック図である。
【００２５】
第２の発光部４は、電源スイッチ７を介して電源が供給される回路とは独立しており、電源スイッチ７のオンオフに関わらず常に発光している。
【００２６】
第２の発光部４が発した光はトッププレート１上に被加熱物Ｐが載置されていない場合は、トッププレート１を透過するのみであるが、トッププレート１上に被加熱物Ｐが載置されている場合には、被加熱物Ｐを反射して、赤外線センサ５に入射する。
【００２７】
赤外線センサ５の受光量を被加熱物検知手段６が受信し、ある受光量以上である場合には、第１の発光部３に信号を出力する。
【００２８】
このとき、電源スイッチ７のオンまたはオフの状態によって第１の発光部３に発光させる信号を変化させることで、使用者には被加熱物Ｐを載置した時点で、被加熱物Ｐの載置場所を視認できるとともに、電源スイッチ７が入っていなければ電源スイッチ７を入れるよう促すことができる。
【００２９】
また、第２の発光部４の光の波長領域は、赤外線センサ５の感度領域と重なる領域を有しており、赤外線センサ５は被加熱物Ｐからの反射の有無により、キッチンの照明が消えている場合でも、被加熱物Ｐの載置の有無を検知することが可能となる。
【００３０】
また、第２の発光部４に複数の発光素子を持たせ、そのうちの一つを赤外線を発光する素子にかえ、電源スイッチがオフ状態のときには赤外線発光素子を発光させることで、不使用時には使用者から見ると何も光っていないように見えるため、使用者は不使用時に違和感を感じない。
【００３１】
また、第２の発光部４を赤外線を発光させる素子にすることで、赤外線センサ５の感度が大きくなり、被加熱物検知手段６の検知精度を向上させることができる。
【００３２】
また、第２の発光部４は、使用者によって調理が開始されると消灯することにより、使い勝手を保ちつつ、本体の消費電力を抑えることができる。
【００３３】
また、被加熱物検知手段６は被加熱物Ｐが載置されかつ、電源スイッチ７がオン状態の時には第１の発光部３を点灯、電源スイッチ７がオフ状態である場合には点滅させる信号を送信することにより、使用者は鍋を載置した際に電源スイッチ７のオンオフの状態を容易に判別することができる。
【００３４】
また、第１の発光部３に複数の発光素子を設け、被加熱物検知手段７は被加熱物Ｐが載置されかつ、電源スイッチ７がオン状態とオフ状態で異なる発光素子を発光させる信号を送信することにより、使用者は鍋を載置した際に電源スイッチ７のオンオフの状態を容易に判別することができる。
【００３５】
また、図４は本発明の第１の実施の形態における誘導加熱調理器のブロック図である。図４に示すように使用者が加熱開始手段１１によって加熱が開始されると、第１の発光部３はさらに異なる発光素子を発光させることにより、使用者は被加熱物Ｐが加熱中であるか否かを容易に判別することができ、使い勝手が向上する。
【００３６】
以上のように、本実施の形態においては、被加熱物を載置するトッププレートと、トッププレート下方に設けられ、被加熱物に高周波電流を供給する加熱コイルと、加熱コイルの周囲に配置されトッププレートに向け光を発する第１の発光部と、加熱コイルの外周より内側に配置され、被加熱物の温度を測定する赤外線センサと、赤外線センサの近傍に配置され、前記トッププレートに向け光を発する第２の発光部と、機器の電源を入切する電源スイッチと、被加熱物検知手段とを備え、被加熱物検知手段は赤外線センサの受光量に応じてトッププレート上の被加熱物の有無を判断し、電源スイッチの状態に応じて第１の発光部の発光状態を変化させるようにしている。
【００３７】
これによって、被加熱物が赤外線センサ上に載置された場合に、第２の発光部から発せられた光が反射し、赤外線センサに入射され、赤外線センサの受光量が増加するので、被加熱物検知手段は、受光量の増加を鍋が載置されたと判断し、電源スイッチの状態によって、第１の発光部の発光状態を変化させることができ、これによって使用者は鍋の載置状態を視認することができかつ、電源スイッチの入り切りの状態を、電源スイッチを確認することなく判別することが可能となり、サークルレスデザインのトッププレートにおいても、使い勝手を良くすることができる。
【産業上の利用可能性】
【００３８】
以上のように、本発明にかかる誘導加熱調理器は、サークルレスデザインのトッププレートにおいても、使い勝手を良くすることが可能となるので、調理をおこなう機器に有効である。
【符号の説明】
【００３９】
Ｐ  被加熱物
１  トッププレート
２  加熱コイル
３  第１の発光部
４  第２の発光部
５  赤外線センサ
６  被加熱物検知手段
７  電源スイッチ
１１  加熱開始手段
【図１】
0005609197.tif 000002
【図２】
0005609197.tif 000003
【図３】
0005609197.tif 000004
【図４】
0005609197.tif 000005
【図５】
0005609197.tif 000006
【図６】
0005609197.tif 000007